(57)【要約】      （修正有）【課題】  部品の種類を減らし、共用化し、コストダウンすることが出来る両用固定柱の提供。【解決手段】  第２部が第１部の上方に組みつけられる。第１部は第１柱体を具え、且つ第１柱体上表面が第１取り付け面とされて第１回路板の組みつけに供され、この第１取り付け面より上向きに比較的小径の第１頸部が凸設されている。第２部は第２柱体を具え、それは第１部の第１頸部上方に組みつけられ且つ第２柱体上表面が第２取り付け面とされて第２回路板の組みつけに供される。これにより異なるＳ−ＡＴＡ或いはＳＣＳＩコネクタが組みつけられた異なる回路板が両用固定柱の異なる高さの取り付け面に組みつけられ、Ｓ−ＡＴＡ或いはＳＣＳＩコネクタが順調にＳ−ＡＴＡ或いはＳＣＳＩハードドライブのコネクタに接続される。【選択図】        図１
2006190920.tif 000002
【特許請求の範囲】
【請求項１】
両用固定柱において、第１部と、該第１部の上方に組みつけられる第２部を具え、
該第１部は第１柱体を具え、且つ第１柱体の上表面が第１取り付け面とされ、該第１取り付け面より上向きに第１頸部が延伸され、該第１頸部が第１柱体より小径とされ、
該第２部は第２柱体を具え、該第２柱体は該第１部の該第１頸部の上方に組みつけられ、且つ第２柱体の上表面が第２取り付け面とされたことを特徴とする、両用固定柱。
【請求項２】
請求項１記載の両用固定柱において、第１柱体の下方に、ケースに固定された底座が設けられたことを特徴とする、両用固定柱。
【請求項３】
請求項１記載の両用固定柱において、第１頸部が第２柱体と異なる径とされたことを特徴とする、両用固定柱。
【請求項４】
請求項１記載の両用固定柱において、第１頸部が第２柱体と同径とされたことを特徴とする、両用固定柱。
【請求項５】
請求項１記載の両用固定柱において、第２取り付け面より上向きに頭部が延伸されたことを特徴とする、両用固定柱。
【請求項６】
請求項５記載の両用固定柱において、頭部が第２頸部及びフック部を具え、第２頸部が第２柱体より小径とされ、且つフック部が第２頸部の上方に組付けられることを特徴とする、両用固定柱。
【発明の詳細な説明】
【技術分野】
【０００１】
本発明は一種の両用固定柱に係り、特に、同一サーバーケース内において異なるＳ−ＡＴＡ或いはＳＣＳＩドライブの回路板を組みつけるのに共用される両用固定柱に関する。
【背景技術】
【０００２】
周知のサーバー内のＳ−ＡＴＡ或いはＳＣＳＩドライブはコネクタ規格の違いにより、二種類の異なる高さの銅柱を有し、それぞれ高さが７．８６５ｍｍと高さが３．７５ｍｍの銅柱とされ、その作用は異なるＳ−ＡＴＡ或いはＳＣＳＩコネクタの回路板を支持することにある。
【０００３】
サーバーの規格がＳ−ＡＴＡ或いはＳＣＳＩハードドライブとされる時、そのサーバーの回路板には異なる規格の内コネクタが固定され、所定高さの銅柱が組み合わされて回路板を支持し、Ｓ−ＡＴＡ或いはＳＣＳＩコネクタとの接続が行なわれる。
【０００４】
しかし周知の技術では高さの異なる銅柱が直接異なるサーバーケースにリベッティングされることでＳ−ＡＴＡ或いはＳＣＳＩハードドライブのサーバー要求に対応しているため、二種類の異なるサーバーケースを準備しなければならず、部品の種類の減少及び共用化を達成できず、理想的でない。
【発明の開示】
【発明が解決しようとする課題】
【０００５】
本発明は一種の両用固定柱を提供することを目的とし、それは、第１部、及び第２部を具え、この第２部は第１部の上方に組みつけられる。そのうち、第１部は第１柱体を具え、且つ第１柱体の上表面は第１取り付け面とされて第１回路板、例えばＳＣＳＩコネクタが配置された回路板の組みつけに供され、この第１取り付け面より上向きに比較的小径の第１頸部が延伸されている。また、第２部は第２柱体を具え、それは第１部の第１頸部の上方に組みつけられ、且つ第２柱体の上表面は第２取り付け面とされて第２回路板、例えばＳ−ＡＴＡコネクタが配置された回路板の組みつけに用いられる。
【０００６】
本発明は異なる取り付け面高さの両用固定柱により、Ｓ−ＡＴＡ或いはＳＣＳＩハードドライブのコネクタと接続され、部品の種類の減少、共用化の目的を達成し、並びに大量に同一ケースを購入可能とし、コストダウンを達成する。
【０００７】
上述の両用固定柱において、第１柱体の下方に更に比較的大径の底座が設けられ、それはサーバーのケースに固定され、この底座は多角形底座とされるか或いは円形底座とされるか、或いは楕円形底座とされる。また第２取り付け面より上向きに頭部が延伸され、この頭部は第２頸部、及びフック部を具え、その第２頸部は上述の第２柱体に較べて小径とされ、且つフック部は第２頸部上方に組みつけられて第２回路板を係止するのに用いられる。
【０００８】
そのうち、上述の両用固定柱はリベッティング、ソルダリング、螺設、溶接或いはその他の接続方式でサーバーケースに固定される。
【課題を解決するための手段】
【０００９】
請求項１の発明は、両用固定柱において、第１部と、該第１部の上方に組みつけられる第２部を具え、
該第１部は第１柱体を具え、且つ第１柱体の上表面が第１取り付け面とされ、該第１取り付け面より上向きに第１頸部が延伸され、該第１頸部が第１柱体より小径とされ、
該第２部は第２柱体を具え、該第２柱体は該第１部の該第１頸部の上方に組みつけられ、且つ第２柱体の上表面が第２取り付け面とされたことを特徴とする、両用固定柱としている。
請求項２の発明は、請求項１記載の両用固定柱において、第１柱体の下方に、ケースに固定された底座が設けられたことを特徴とする、両用固定柱としている。
請求項３の発明は、請求項１記載の両用固定柱において、第１頸部が第２柱体と異なる径とされたことを特徴とする、両用固定柱としている。
請求項４の発明は、請求項１記載の両用固定柱において、第１頸部が第２柱体と同径とされたことを特徴とする、両用固定柱としている。
請求項５の発明は、請求項１記載の両用固定柱において、第２取り付け面より上向きに頭部が延伸されたことを特徴とする、両用固定柱としている。
請求項６の発明は、請求項５記載の両用固定柱において、頭部が第２頸部及びフック部を具え、第２頸部が第２柱体より小径とされ、且つフック部が第２頸部の上方に組付けられることを特徴とする、両用固定柱としている。
【発明の効果】
【００１０】
本発明は両用固定柱を提供し、それは、第１部と第１部の上方に組付けられる第２部を具えている。第１部は第１柱体を具え、且つ第１柱体上表面が第１取り付け面とされて第１回路板の組みつけに供され、この第１取り付け面より上向きに比較的小径の第１頸部が凸設されている。第２部は第２柱体を具え、それは第１部の第１頸部上方に組みつけられ且つ第２柱体上表面が第２取り付け面とされて第２回路板の組みつけに供される。これにより異なるＳ−ＡＴＡ或いはＳＣＳＩコネクタが組みつけられた異なる回路板が両用固定柱の異なる高さの取り付け面に組みつけられ、Ｓ−ＡＴＡ或いはＳＣＳＩコネクタが順調にＳ−ＡＴＡ或いはＳＣＳＩハードドライブのコネクタに接続され、部品種類を減らし、共用化する目的を達成する。
【発明を実施するための最良の形態】
【００１１】
本発明の両用固定柱１は、第１部１１、第１部１１の上方に組みつけられる第２部１２、頭部１３及び比較的大径の底座１４を具えている。
【００１２】
図１に示されるように、本実施例の第１部１１は第１柱体１１１を具え、且つ第１柱体１１１の上表面は第１取り付け面１１０とされて、第１回路板２１、例えば図２に示されるＳＣＳＩコネクタ３１が配置された第１回路板２１の組みつけに供される。第１取り付け面１１０より上向きに第１頸部１１２が延伸され、この第１頸部１１２は第１柱体より小径であり、その第１頸部１１２は第１回路板２１の前方が大きく後方が小さい孔２３の小孔２３０中に嵌合される。
【００１３】
図３に示されるように、第２部１２は第２柱体１２１を具え、この第２柱体１２１は第１部１１の第１頸部１１２の上方に組みつけられる。注意すべきことは、本実施例では、第１頸部１１２は第２柱体１２１と異なる径とされ、即ち第２柱体１２１は第１頸部１１２よりやや大径とされ、且つ第２柱体１２１の上表面は第２取り付け面１２０とされて、第２回路板２２、例えばＳ−ＡＴＡコネクタ３２が配置された第２回路板２２の組みつけに用いられる。
【００１４】
図３に示されるように、第２取り付け面より上向きに頭部１３が延伸され、この頭部１３は第２頸部１３１及びフック部１３２を具えている。本実施例中、第２頸部１３１は第２柱体１２１より小径とされ、その第２頸部１３１は第２回路板２２の前方が大きく後方が小さい孔２３の小孔２３０中に嵌合され、且つ上方のフック部１３２は第２頸部１３１の上方に組みつけられて第２回路板２２を係止する。
【００１５】
図示されるように、第１柱体１１１の下方には更に比較的大径の底座１４が設けられ、それはサーバーケース５の固定孔に挿通並びに固定される。本実施例中、この底座１４は多角形底座とされてリベッティング或いはソルダリング方式でサーバーケース５に固定される。そのうち、第１柱体１１１の根部１１３と底座１４の間には全周溝１１４が設けられ、底座１４が更に緊密にサーバーケース５に固定され回転が防止されている。
【００１６】
以上から分かるように、両用固定柱１は異なる回路板２１、２２を二種類の異なる高さに支持でき、これらの異なる回路板２１、２２は異なるＳＣＳＩコネクタ３１、及びＳ−ＡＴＡコネクタ３２を具えている。また確実に異なる回路板２１、２２を固定するために、上述の両用固定柱１以外のその他の場所にあって、サーバーケース５上に雌ネジを具えた銅柱６が固定され、並びにネジ７が回路板に設けられた貫通孔３０に通されて雌ネジを具えた銅柱６に固定される。このとき、銅柱６は第１取り付け面１１０と等しい高さであればよい。別の高さの第２取り付け面１２０に合わせたい時は、ただ銅柱６に六角ボルト６１をねじ込む。そのうち、六角ボルト６１は更に雌ネジ６１０を具えて比較的小径のネジ７が第２回路板２２に設けられた貫通孔３０を通り六角ボルト６１の雌ネジ６１０中にねじ込まれて高さが固定される。
【００１７】
こうして本発明は二種類の異なる取り付け面高さを有する両用固定柱１とされ、異なるＳ−ＡＴＡコネクタ３２或いはＳＣＳＩコネクタ３１が組みつけられた異なる回路板の組みつけ高さの要求に対応する。即ち、回路板を両用固定柱１の異なる高さの取り付け面に調整して設置することで、異なる回路板上のＳ−ＡＴＡ或いはＳＣＳＩコネクタを順調にＳ−ＡＴＡ或いはＳＣＳＩハードドライブのコネクタに接続させることができ、部品種類の減少、共用化の目的を達成でき、並びに大量に同一ケースの購入を可能とし、コストダウンを達成する。
【００１８】
図４は本発明の別の実施例の両用固定柱８の表示図であり、その構造はほとんどが先の実施例と同じであるが、異なるところは第１頸部８１と第２柱体８２が同じ直径に設けられているところであり、上述と同じ効果を達成する。
【図面の簡単な説明】
【００１９】
【図１】本発明の好ましい実施例の実施態様図である。
【図２】本発明の好ましい実施例の第１取り付け面の組合せ断面図である。
【図３】本発明の好ましい実施例の第２取り付け面の組合せ断面図である。
【図４】本発明のもう一つの好ましい実施例の両用固定柱表示図である。
【符号の説明】
【００２０】
１  両用固定柱        １１  第１部        １１０  第１取り付け面
１１１  第１柱体      １１２  第１頸部    １１３  根部
１１４  全周溝        １２  第２部        １２０  第２取り付け面
１２１  第２柱体      １３  頭部          １３１  第２頸部
１３２  フック部      １４  底座          ２１  第１回路板
２２  第２回路板      ２３  孔            ２３０  小孔
３０  貫通孔          ３１  ＳＣＳＩコネクタ  ３２  Ｓ−ＡＴＡコネクタ
５  サーバーケース    ６  銅柱            ６１  六角ボルト
６１０  雌ネジ        ７  ネジ            ８  両用固定柱
８１  第１頸部        ８２  第２頸部
【図１】
2006190920.tif 000003
【図２】
2006190920.tif 000004
【図３】
2006190920.tif 000005
【図４】
2006190920.tif 000006